(57)【要約】      （修正有）【課題】引きこもり状態にある当事者あるいは当事者に関連する第三者のストレスおよび精神状態識別問診表により、個別にストレスおよび精神状態を識別し、改善のための情報提供を行う。【解決手段】コンピュータ技術を用いて、ストレスおよび精神状態識別問診表をＷＥＢページのフォーマットに編集し、ペーパーレス化されたストレスおよび精神状態識別問診表のデータベースを構成する。【選択図】なし【特許請求の範囲】
【請求項１】
ＷＥＢページ関連のＪａｖａ、ＣＧＩスクリプト、ラジオボタン、チェックボックス、テキスト入力フィールド、プルダウンメニューリストなどコンピュータ・ソフトウエア技術を用いて引きこもり状態にある当事者あるいは当事者に関連する第三者のストレスおよび精神状態識別問診表を編集することにより、ＷＥＢページ形式で、引きこもり状態にある当事者あるいは当事者に関連する第三者のストレスおよび精神状態識別問診表を構成するストレスおよび精神状態別対処情報提供システム。
【請求項２】
請求項１記載の引きこもり状態にある当事者あるいは当事者に関連する第三者のストレスおよび精神状態識別問診表の中にＪａｖａ又はＣＧＩスクリプトプログラムを組み込むことで、引きこもり状態にある当事者あるいは当事者に関連する第三者のストレスおよび精神状態の自動識別を可能にするストレスおよび精神状態別対処情報システム。
【請求項３】
請求項１及び請求項２記載の引きこもり状態にある当事者あるいは当事者に関連する第三者のストレスおよび精神状態識別問診表をオンライン流通し、且つ、被験者の解答をオンライン分析して、被験者の各問題における解答を分類した後、統計した履歴データの元に、被験者ごとにストレスおよび精神状態識別情報のデータベースを構築するストレスおよび精神状態別対処情報システム。
【請求項４】
請求項１記載のペーパーレス化された問診表のデータベースから、被験者毎に、個々の状況に応じたストレスおよび精神状態の改善のためのアドバイスを提供するストレスおよび精神状態別及びストレスおよび精神状態別対処情報提供システム。
【請求項５】
ストレスおよび精神状態識別問診表を引きこもり状態にある当事者あるいは当事者に関連する第三者に提供することにより得られる被験者ごとのストレスおよび精神状態識別情報のデータベースと求人企業が登録した就職情報データベースを介して必要とする就職企業を提供あるいは検索するシステムを具備したことを特徴とする情報提供システム。
【請求項６】
請求項４記載の個々の状況に応じたストレスおよび精神状態の改善のためのアドバイスが、ストレスおよび精神状態別対処情報のデータベースを用いることにより、すばやく被験者に、メール等の通信手段を用いて的確な医療機関、相談施設等の情報を提供できる情報処理システム。
【請求項７】
予め定められた順にポイントされる所定数のターゲットまたは質問事項を表示手段の画面に配置して表示し、被験者に前記予め定められた順に各ターゲットをポイントまたは質問事項に回答させて、各ターゲットまたは質問事項に対する回答情報データに基づいて被験者のストレスおよび精神状態を分析し、すばやく画面上にストレスおよび精神状態の解析情報を提供することを特徴とするストレスおよび精神状態別対処情報提供システム。
【請求項８】
電子制御される表示手段の画面内に前記所定数のターゲットまたは質問事項を表示または連続する次の画面に表示し、被験者がこの画面に重ねたタッチパネルのターゲットまたは質問事項に対応する位置を押えるまたは回答することにより各ターゲットまたは質問事項に対する回答情報データに基づいて被験者のストレスおよび精神状態別対処情報を識別し、すばやく画面上にストレスおよび精神状態の解析情報を提供する請求項１に記載のストレスおよび精神状態別対処情報提供システム。
【請求項９】
電子制御される表示手段がデスクトップ型パソコン、モバイル型パソコン、家庭用ゲーム装置である請求項１又は２又は３又は４又は５又は６又は７又は８に記載のストレスおよび精神状態別対処情報提供システム。
【請求項１０】
精神分析結果を印字するプリンタが設けられる請求項１又は２又は３又は４又は５又は６又７又は８に記載のストレスおよび精神状態別対処情報対処情報提供システム。
【発明の詳細な説明】
【発明の詳細な説明】
【技術分野】
【０００１】  本発明は、オンラインで引きこもり状態にある当事者あるいは当事者に関連する第三者のストレスおよび精神状態を識別及びストレスおよび精神状態別対処情報を提供できるシステムに関する。
【背景技術】
【０００２】  従来、引きこもり状態にある当事者あるいは当事者に関連する第三者のストレスおよび精神状態別問診表はこれまで存在せず、たとえ存在したとしても書籍、プリントなどの形式をとっている。一方、既存のカウンセリング施設などにおいて個別にカウンセリングする方法は存在するが、決まった時間と場所でしか引きこもり状態にある当事者に関連する第三者のストレスおよび精神情報提供を受けられないためコストが高く、且つ不便である。既存のカウンセリング施設などでは、コンピュータ支援による引きこもり状態にある当事者あるいは当事者に関連する第三者のストレスおよび精神状態状況評価システムを導入しても、引きこもり状態にある当事者あるいは当事者に関連する第三者のストレスおよび精神状態状況評価のための集計に過ぎない、然も、引きこもり状態にある当事者あるいは当事者に関連する第三者のストレスおよび精神状態問診表そのものはペーパーレスではなく、識別情報も入力によるものである。また、被験者個々のストレスおよび精神状態履歴を一貫して把握していないので、ストレスおよび精神状態状況を客観的に評価できるとは言い硬い。さらに引きこもり当事者や関連する第三者に引きこもり状態や家族情報により引きこもり状態を識別して、求人企業を提供あるいは検索したり、適した医療機関や相談施設等の情報を瞬時に提供したり、メール等の通信手段を用いて紹介する一貫した情報システムはこれまでにない。
【発明が解決しようとする課題】
【０００３】  本発明は、インターネットを介して、引きこもり状態にある当事者あるいは当事者に関連する第三者のストレスおよび精神状態情報を提供するシステムの仕組み又は構築方法に関するものである。主に、コンピュータ技術を用いて、引きこもり状態にある当事者あるいは当事者に関連する第三者のストレスおよび精神状態を識別問診するテストを電子処理し易いフォーマットに編集し、引きこもり状態にある当事者あるいは当事者に関連する第三者のストレスおよび精神状態別問診表を作り出し、且つデータベース化することにより、当事者あるいは当事者に関連する第三者のストレスおよび精神状態識別問表を構成する。更に、インターネット上で、このような引きこもり状態にある当事者あるいは当事者に関連する第三者のストレスおよび精神状態識別問診表、ストレスおよび精神状態識別、ストレスおよび精神状態別対処情報提供、引きこもり当事者や関連する第三者に引きこもり状態や家族情報により引きこもり状態を識別して、求人企業を提供あるいは検索したり、適した医療機関や相談施設等をメール等の通信手段を用いて紹介する一貫した情報システムと言ったサービスを提供するＷＥＢサイト又はＷＥＢコンテンツに利用するものである。
【０００４】  さらには、既成のカウンセリング施設等、ストレスおよび精神検査などに本発明を利用すれば、ペーパーレス化できるだけではなく、効率的に判別でき、被験者個々の引きこもり状況や状態を客観且つ一貫して把握できる。
従来のストレスおよび精神状態識別問診表又はコンピュータ支援による引きこもり状態状況評価システムの最大の欠点は、被験者あるいは当事者に関連する第三者にストレスおよび精神状態識別問診表を受けさせる処に止まり、単方向なもので、被験者あるいは当事者に関連する第三者の個々のストレスおよび精神状態履歴データを一貫して把握できない、当然、被験者あるいは当事者に関連する第三者のストレスおよび精神状態も客観的に診断できない、被験者あるいは当事者に関連する第三者個々のストレスおよび精神状態は引きこもり状態識別状況に応じた改善策の提案や生活習慣の改善させる情報提供と対処方法づけなども提示できない。
【０００５】  具体的に言うと、従来のストレスおよび精神状態識別問診表又はコンピュータ支援によるストレスおよび精神状態状況評価システムでは、手段となるストレスおよび精神状態識別問診表又は識別問診表集計そのものになっている、然も、被験者あるいは当事者に関連する第三者にストレスおよび精神状態識別問診表を提供すると言った単方向なもので、被験者あるいは当事者に関連する第三者にＡ，Ｂ，Ｃなどのストレスおよび精神状態ランクを知らせても、被験者あるいは当事者に関連する第三者に最も必要とする識別結果及び対処方法を提供することが不可能である。つまり、従来のストレスおよび精神状態識別問診表では、被験者あるいは当事者に関連する第三者自ら、ストレスおよび精神状態を認知することが非常に難しく、そして、認知しても、自らの力で、対応策や改善策の方向づけに対処した必要な範囲のアドバイスができない。
【０００６】  従来のストレスおよび精神状態識別問診表の編集方法及び流通手段を考えると、その制限も明らかである。書籍、プリントなど形式をとっている従来のストレスおよび精神状態識別問診表では、被験者あるいは当事者に関連する第三者の異なるストレスおよび精神状態又は改善要望に個々に対応することが不可能で、当然、被験者あるいは当事者に関連する第三者達を一つの集合体に見なし、被験者あるいは当事者に関連する第三者達の間のストレスおよび精神状態の程度差、被験者各自の引きこもり状態状況、被験者達個々のストレスおよび精神状態改善要望を無視せざるを得ない。即ち、従来のストレスおよび精神状態識別問診表は、所謂一般論のものである。
【０００７】  一方、既存のカウンセリング施設等では、一応被験者あるいは当事者に関連する第三者個々のストレスおよび精神状態状況に応じた個別情報を提供しているが、しかし、コストが高い、且つ決まった時間、決まった場所でしか利用できない。一部分のカウンセリング施設等では、コンピュータ支援によるストレスおよび精神状態状況評価システムを導入しでも、ストレスおよび精神状態状況評価のための集計に過ぎない、然も、ストレスおよび精神状態識別問診表そのものはペーパーレスではなく、識別も入力によるものである。更に、被験者あるいは当事者に関連する第三者個々のストレスおよび精神状態履歴を一貫して把握していないので、ストレスおよび精神精神状態状況を客観的に評価できない。
【課題を解決するための手段】
【０００８】  コンピュータ技術を用いて、ストレスおよび精神状態識別問診表を電子処理し易い、インターネット上で流通しやすいフォーマットに編集し、ペーパーレス化されたストレスおよび精神状態識別問診表のデータベースを構成する。更に、被験者あるいは当事者に関連する第三者の解答をオンライン診断して、被験者あるいは当事者に関連する第三者の各問題における状態分析結果の分類を統計した履歴データの元で、被験者あるいは当事者に関連する第三者毎にストレスおよび精神状態識別情報のデータベースを構築することにより、各被験者あるいは当事者に関連する第三者に、個々のストレスおよび精神状態状況に対処する改善情報又はストレスおよび精神タイプ別の対処方法を提供するオンラインストレスおよび精神状態識別及び引きこもり状態提供システムの仕組みを開発した。即ち、インターネット上で、ストレスおよび精神状態識別問診表、ストレスおよび精神状態識別、ストレスおよび精神状態別対処情報提供を併せ持つストレスおよび精神状態別把握対処のコンテンツ及びシステムを構築する。
【０００９】  先ず、ＷＥＢページ関連のＪａｖａ、ＣＧＩスクリプト、ラジオボタン、チェックボックス、テキスト入力フィールド、プルダウンメニュー、リストなどコンピュータ・ソフトウエア技術を用いてストレスおよび精神状態識別問診表のデータベースを構築して、ストレスおよび精神状態識別問診表を構成する。これを具体的に述べると、一つの設問において、解答とラジオボタン、或はチェックボックスのペアを複数用意する、或は、設問において、解答はプルダウンメニューやリストなどで選択できるようにする、又はテキスト入力フィールドを設けって、被験者あるいは当事者に関連する第三者の入力を促す。
【００１０】このように、コンピュータ・ソフトウエア技術を用いてストレスおよび精神状態識別問診表のデータベースを構築し、更に、構築された引きこもり状態テストのデータベースから識別指導要領に準拠したアドバイスを構成する。ここまでは、従来のストレスおよび精神状態識別問診表をペーパーレス化したものとも言える。
ただし、本発明中のストレスおよび精神状態識別問診表だけでは、被験者あるいは当事者に関連する第三者自身は自分のストレスおよび精神状態に対する識別、ストレスおよび精神状態改善の方向づけができない、更に、被験者あるいは当事者に関連する第三者各自のストレスおよび精神状態状況に対処するアドバイスもない、勿論、他人と比べる時のストレスおよび精神状態も認知できない。
【００１１】  さらに本発明では、オンラインで被験者あるいは当事者に関連する第三者の解答を識別して、被験者あるいは当事者に関連する第三者の各問題における解答の分類の統計を取った上で、被験者あるいは当事者に関連する第三者毎にストレスおよび精神状態識別情報のデータベースを構築すれば、被験者あるいは当事者に関連する第三者個々のストレスおよび精神状態状況を一貫して把握続けられ、被験者あるいは当事者に関連する第三者のストレスおよび精神にいた過程やストレスおよび精神の状態、人間性などを客観的に洗い出しできる。これはストレスおよび精神状態識別である。
【００１２】  続いて、被験者あるいは当事者に関連する第三者個々のストレスおよび精神状態識別結果に応じた情報や対象法を提供する、即ち、一般論ではなく、個別論で対処するわけである。本発明では、前述のストレスおよび精神状態問診表データベースから、各被験者あるいは当事者に関連する第三者のストレスおよび精神状態識別に対処した問診表を解析することにより、ストレスおよび精神状態アドバイスなどを提供する。インターネットを介して、被験者あるいは当事者に関連する第三者にストレスおよび精神状態識別問診表を提供し、被験者あるいは当事者に関連する第三者のストレスおよび精神状態を識別する。
【００１３】  オンラインで、被験者あるいは当事者に関連する第三者の解答を識別する、更に、識別結果を基づき、被験者あるいは当事者に関連する第三者のストレスおよび精神状態や人間性や心理状態の範囲を分析し、被験者あるいは当事者に関連する第三者のストレスおよび精神状態識別情報を構築又は更新する。
【００１４】被験者あるいは当事者に関連する第三者のストレスおよび精神状態識別情報を基づき、各被験者あるいは当事者に関連する第三者のストレスおよび精神状態や人間性や心理状態又は識別されたタイプに応じた情報提供や対処方法を提供する。
要約すると、インターネット上で、一般論のストレスおよび精神状態別識別問診表から、個別論のストレスおよび精神状態識別及びストレスおよび精神状態別対処情報提供まで、即ち、相互補完性のある識別問診表、識別、処置と言ったストレスおよび精神状態別対処情報提供システムを構成できる。
【発明の効果】
【００１５】  オンラインで、ストレスおよび精神状態識別問診表をインターネットに接続すれば、被験者あるいは当事者に関連する第三者は場所や時間など気にせず、いつでも、どこでもストレスおよび精神状態を識別できる。然も直ちに自動的に識別されるので、識別結果を手に入れる面倒な作業が無くなり、被験者あるいは当事者に関連する第三者は労力と時間を節約できる。
【００１６】  そして、被験者あるいは当事者に関連する第三者の回答結果は識別される同時に、ストレスおよび精神状態の分布、分類などが統計、分析され、被験者あるいは当事者に関連する第三者のストレスおよび精神状態識別情報が構築される、これによって、被験者あるいは当事者に関連する第三者個々の一貫した引きこもり状態状況を把握続けられ、被験者あるいは当事者に関連する第三者個々のストレスおよび精神状態状況に応じた個別対処情報提供が初めて可能になる。
【００１７】  このように被験者あるいは当事者に関連する第三者のストレスおよび精神状態状況を常に把握続けることは、被験者あるいは当事者に関連する第三者のストレスおよび精神状態や人間性や現在のストレスおよび精神の状況の分類及び範囲を客観的に発覚でき、対処として、適切なストレスおよび精神状態改善情報を提供できる。
【００１８】  更に、ストレスおよび精神の状態や識別された引きこもりのタイプに応じた専用の改善アドバイスや対処方法の情報を提供し、繰り返し使用させることで、被験者の改善および状態変化の具合を把握できる。
【００１９】  以上述べたストレスおよび精神状態識別問診表、ストレスおよび精神状態識別、改善対処情報提供と言った機能を持つ、ストレスおよび精神状態識別サイクルは、本発明の仕組みのみが生み出せる効果である。
【発明を実施するための最良の形態】
【００２０】  ここで、ストレスおよび精神状態識別問診表の実施例として、まず、被験者あるいは当事者に関連する第三者はストレスおよび精神状態識別問診表及びストレスおよび精神状態情報のＷＥＢサイトにアクセス、自分の要求によって、ストレスおよび精神状態識別問診表にするか、ストレスおよび精神状態改善情報提供にするかなどを決定する。そうすると、ストレスおよび精神状態指導のＷＥＢサイトから引きこもり状態識別問診表のＷＥＢページが返信され、被験者あるいは当事者に関連する第三者はスタートボタンを押すと、ストレスおよび精神状態識別問診表が表示されると同時に、解答における入力フィールドもアクティブ状態になり、被験者あるいは当事者に関連する第三者はコンピュータなど端末を駆使して、設問に解答する。【００２１】  続いて、被験者あるいは当事者に関連する第三者の解答は自動的に識別され、ストレスおよび精神状態識別及びストレスおよび精神状態情報提供のＷＥＢサイト所在のサーバに返信される。更に、サーバ上で、識別結果を基づき、被験者のストレスおよび精神状態や人間性や心の状態の範囲が自動的に分析され、被験者あるいは当事者に関連する第三者のストレスおよび精神状態識別情報が更新される。【００２２】  最後に、被験者あるいは当事者に関連する第三者に今回のストレスおよび精神状態識別問診表における被験者あるいは当事者に関連する第三者本人の結果が提示される。